(57)【要約】      （修正有）【課題】オーディオ機器等に触れることなく任意の重量でオーディオ機器等の振動を抑制する重しを提供する。【解決手段】オーディオ用の重し本体１を比重の高い金属等を用いて複数の同じ平たい形状にして下部に樹脂等付き滑り止めテープを設ける。オーディオ機器等３の足の間に設置し、オーディオ機器等３が載っている棚４の加重を増すことによりオーディオ機器等３に損傷を与えずにオーディオ機器等３の振動を抑制しやすい。【選択図】図１
0003198232.tif 000002
【実用新案登録請求の範囲】
【請求項１】
オーディオ機器等と接触せずに狭い空間を利用して効率的にオーディオ機器等の載っている棚の加重を任意に増し、その棚の振動を抑制することによりその上にあるオーディオ機器等の振動を抑制することを特徴とするオーディオ機器用重し。
【請求項２】
前記オーディオ機器用重しは、平面状に加工された金属等の比重の高いもので、複数の同一のものにより構成され、下部に滑り止めを施されたことを特徴とする請求項１記載のオーディオ機器用重し。
【考案の詳細な説明】
【技術分野】
【０００１】  この考案は、オーディオ機器等の振動抑制に用いる重しの形状、材質、及びその組み合わせに関する。
【背景技術】
【０００２】  個人がオーディオ機器等による音楽再生時の音質向上を可能な限り追求する趣味をピュア・オーディオと呼ぶ。この趣味において、スピーカーの音質は外部振動及び自身が放った音の反射が床や空気中を通して伝わることにより劣化する。
また、レコードプレーヤー、カセットデッキ、ＣＤプレーヤー等の駆動部分を持つ機器は、外部振動及びスピーカーから放たれる音が振動となり床や空気中を通して伝わると、目的とする精緻な駆動を阻害され、音質を劣化させる。
さらに、ピュア・オーディオにおいては、駆動部分の無いアンプ等を含め、すべてのオーディオ機器等の電気回路や電子回路の金属伝導部分は、振動を受けると微量の電気を発生する。これはノイズとなり、電気的音声信号に混入するため、抑制対策が強く求められる。逆に電気回路の部品自体も電気の力により振動する。上記すべての振動を抑制する対策を制振対策という。
制振対策として、オーディオ機器等はその設計段階で、機器の枠組みが堅固にされ、振動を抑制するメカニズムが組み込まれている特殊な足が付いている。
また、多岐にわたる素材および形状で、振動を吸収したり伝えにくくしたりする効果のあるインシュレーターというアクセサリが、多くの場合常識を逸脱した高価格で販売されており、多くはオーディオ機器等の足等の下に配置するものである。また、電源からスピーカーに至るまでの機器間に使用するケーブルについても、導体の材質や太さ等による高い電送性能だけではなく、太く重くすること等による制振対策も求められる。
ピュアオーディオという趣味の世界の個人ができる制振対策としては、制振対策を施されたオーディオ製品を買い、それらの置かれる台や棚を頑強で安定なものにし、制振効果のあるアクセサリやケーブルを積極的に使用することである。
また、個人ができることとして、オーディオ機器等の上に重い物体を重しとして置き、その機器の振動を抑制することが試みられた。この従来のオーディオ機器等の振動抑制に用いる重しは、図５に示すように、オーディオ機器等の上に載せるものである。多くの場合、特に計算されず身近なところにあった重そうなものを選択して、気休め程度に載せるだけである。
【先行技術文献】
【特許文献】
【０００３】
【特許文献１】特開２０００−３２０６０８号公報
【特許文献２】特開２００８−１５９８７７号公報
【特許文献３】特開２０１２−１２９５７５号公報
【考案の概要】
【考案が解決しようとする課題】
【０００４】  しかしながら、以上の技術によれば、重しによる振動対策は明瞭な原理を持ち、個人にとって多くの費用をかけずに容易にできることの一つである一方、オーディオ機器等の振動抑制に足りるだけの重量を増すことは重しである物体の容積が異様に大きくなり、美観上も好ましくないので困難であった。仮に木材の中で傑出して重い比重０．９４の樫で１０ｋｇの重さにするには、幅、奥行共に４０ｃｍのフルサイズオーディオ機器を想定して、高さは６．６ｃｍに達する。また目的を達成するほどの重量で行った場合は、重量がオーディオ機器等の設計条件を大幅に超えるため、個人にとって何よりも大切なオーディオ機器等の枠組みや足等が歪んだり、製造時に施されている個々のオーディオ機器等の制振機能が阻害されたりした。また、重量の調節には均一でない重しなる物体の個々の重量を計り電卓で足し上げる必要があり、容易に調節することは困難であった。
そこで、この考案は、オーディオ機器等に触れることなく任意の重量でオーディオ機器等の振動を抑制する重しを提供することを課題とする。
【課題を解決するための手段】
【０００５】  以上の課題を解決するために、第一考案は、オーディオ機器等の下部にある足の間の狭い空間にでも入るように平面状にしたことを特徴とするオーディオ機器用重しである。
また、第二考案は、材質に、比重の高い金属等を用い狭い空間でも効率的に振動抑制を可能にしたことを特徴とするオーディオ機器用重しである。
また、第三考案は、同一の複数なもので構成させ、重しの設置数で任意の重さに容易に調節できるようにしたことを特徴とするオーディオ機器用重しである。
さらに、第四考案は、下部に滑り止めを設けることにより摩擦係数を高め、重しとオーディオ機器等の載っている棚を一体化させ、水平方向の振動が滑ることなく重しに伝わることを特徴とするオーディオ機器用重しである。
【考案の効果】
【０００６】  第一考案、または第二考案、または第三考案、または第四考案によれば、オーディオ機器等に触れることなくオーディオ機器等の載っている棚の加重を任意に増すことができる。質量の大きいものは動きにくい。振動は動きの一種である。したがって、オーディオ機器等の載っている棚が振動しにくくなるので、結果的にオーディオ機器等の振動を抑制する。
【図面の簡単な説明】
【０００７】
【図１】この考案の一実施形態を示す平面図である。
【図２】この考案の一実施形態を示す正面図である
【図３】この考案の一実施形態を示す正面図である
【図４】この考案の一実施形態を示す側面図である
【図５】従来技術を示す正面図である。
【考案を実施するための形態】
【０００８】  この考案の一実施形態を、図１に示す。
オーディオ用重しの本体１は比重の大きな金属等であり、この本体１の形状は平面状で、同一の複数のものに分かれ、下部に樹脂等の付いているテープによる滑り止めが施されている。
「実施形態の効果」
この実施形態によれば、重しは平たいのでオーディオ機器等の足の間等の小さな空間に入り、金属等の比重が重く同一の複数のもので構成されるので容易に任意の重さまで増すことができ、樹脂等の付いているテープにより滑りにくいのでオーディオ機器等の載っている棚と一体化する。重しはオーディオ機器等と接触せずそれを傷めることなく、オーディオ機器等の載っている棚の加重を増しその棚の振動を抑制するので、その上にあるオーディオ機器等の振動を抑制する。フルサイズオーディオの足の間の空間は、幅２５ｃｍ、奥行４０ｃｍ、高さ１．５ｃｍ程度である。この空間の８０％を比重７．９の鉄で埋めた場合の重量は９．４８ｋｇである。１０ｋｇ程度の比較的軽いオーディオ機器等であれば、２倍近くまで加重を上げられ、その分効果的に振動を抑制できる。さらに、インシュレータなどがオーディオ機器等の足の下に設置され、オーディオ機器等本体の位置がインシュレータの高さの分上げられている場合は、オーディオ機器用重しに使える足の間の空間がさらにその分増える。
「他の実施形態」
図１の実施形態では、オーディオ機器用重しはオーディオ機器等の足の間に設置されているが、他の実施形態では、空間があればオーディオ機器等の載っている棚の他の場所に置くものでも良い。
【符号の説明】
【００９】１  オーディオ用の重し本体            ２  樹脂等付き滑り止めテープ
３  足の付いたオーディオ機器等        ４  オーディオ機器等が載っている棚
５  従来のオーディオ機器等の振動抑制に個人が用いる重し
【図１】
0003198232.tif 000003
【図２】
0003198232.tif 000004
【図３】
0003198232.tif 000005
【図４】
0003198232.tif 000006
【図５】
0003198232.tif 000007
【手続補正書】
【提出日】平成27年3月25日(2015.3.25)
【手続補正１】
【補正対象書類名】実用新案登録請求の範囲
【補正対象項目名】全文
【補正方法】変更
【補正の内容】
【実用新案登録請求の範囲】
【請求項１】
下部に滑り止めを施した、平面板状に加工された金属を、複数で構成することにより、オーディオ機器と接触せずにオーディオ機器の足の間のオーディオ機器の載っている棚の上に置くことができ、その狭い空間を効率的に利用して、オーディオ機器の載っている棚の加重を任意に増し、その棚の振動を抑制することによりその上にあるオーディオ機器の振動を抑制することを特徴とするオーディオ機器用重し。